(57)【要約】      （修正有）【課題】温かい質感が感じられるキャンドル型照明器具用カバーおよびカバー付きキャンドル型照明器具を提供する。【解決手段】キャンドル型照明器具用カバー１は、キャンドルを模した機器本体Ｃ２と、キャンドルに点火される炎を模して点灯可能な炎模倣部Ｃ３とを備えるキャンドル型照明器具Ｃ１を覆うためのキャンドル型照明器具用カバーである。キャンドル型照明器具用カバー１は、機器本体Ｃ２を収容可能な内部空間と、機器本体Ｃ２を内部空間に挿入するための第１の開口と、炎模倣部Ｃ３が露出かつ突出するように、炎模倣部Ｃ３を挿入するための第２の開口とを有するカバー本体２を備える。カバー本体２は、織物によって構成される。【選択図】図１Ａ
0003229492.tif 000002
【実用新案登録請求の範囲】
【請求項１】
キャンドルを模した機器本体と、前記キャンドルに点火される炎を模して点灯可能な炎模倣部とを備えるキャンドル型照明器具を覆うためのキャンドル型照明器具用カバーであって、前記キャンドル型照明器具用カバーは、
前記機器本体を収容可能な内部空間と、
前記機器本体を前記内部空間に挿入するための第１の開口と、
前記炎模倣部が露出かつ突出するように、前記炎模倣部を挿入するための第２の開口と
を有するカバー本体
を備え、
前記カバー本体は、織物によって構成される、
キャンドル型照明器具用カバー。
【請求項２】
前記カバー本体は、ちりめんによって構成される、請求項１記載のキャンドル型照明器具用カバー。
【請求項３】
前記カバー本体は、花の形状を模している、請求項１または２記載のキャンドル型照明器具用カバー。
【請求項４】
キャンドルを模した機器本体と、前記キャンドルに点火される炎を模して点灯可能な炎模倣部とを備えるキャンドル型照明器具と、
請求項１〜３のいずれか１項に記載のキャンドル型照明器具用カバーと
を備え、
前記機器本体が、前記内部空間に収容され、前記炎模倣部が、前記第２の開口から露出かつ突出している、カバー付きキャンドル型照明器具。
【考案の詳細な説明】
【技術分野】
【０００１】
本考案は、装飾が施されたキャンドル型照明器具用カバーおよびカバー付きキャンドル型照明器具に関する。
【背景技術】
【０００２】
火を使用せずに済むように、キャンドルの形状を模したキャンドル型照明器具が商品化されている。キャンドル型照明器具には、装飾が施されることがある。特許文献１は、キャンドル型照明装置の本体に装飾を施すための、キャンドル型照明装置用のカバーを開示している。特許文献１のカバーは、透明シートによって構成され、略円柱形状の本体の側面を覆うように、本体に取り付けられる。この透明シートに装飾物が貼付されることで、キャンドル型照明器具に装飾が施される。これにより、キャンドル型照明器具の意匠性が増す。
【先行技術文献】
【特許文献】
【０００３】
【特許文献１】特開２０１７−４１３６２号公報
【考案の概要】
【考案が解決しようとする課題】
【０００４】
キャンドル型照明器具の本体は、プラスチック製であるため、無機質な印象を与えやすい。特許文献１のキャンドル型照明装置用のカバーは、透明シートであって、プラスチック製またはゴム製であるため、本体と同様に、無機質な印象を与えやすい。そのため、カバーが取り付けられ、カバーに装飾物が貼付されても、キャンドル型照明器具は、依然として無機質な印象を与えやすい。そのため、キャンドル型照明装置に温かい質感を感じにくい。
【０００５】
本考案は、上記問題に鑑みなされたもので、温かい質感が感じられるキャンドル型照明器具用カバーおよびカバー付きキャンドル型照明器具を提供することを目的とする。
【課題を解決するための手段】
【０００６】
本考案の一実施形態に係るキャンドル型照明器具用カバーは、キャンドルを模した機器本体と、前記キャンドルに点火される炎を模して点灯可能な炎模倣部とを備えるキャンドル型照明器具を覆うためのキャンドル型照明器具用カバーであって、前記キャンドル型照明器具用カバーは、前記機器本体を収容可能な内部空間と、前記機器本体を前記内部空間に挿入するための第１の開口と、前記炎模倣部が露出かつ突出するように、前記炎模倣部を挿入するための第２の開口とを有するカバー本体を備え、前記カバー本体は、織物によって構成される。
【０００７】
前記カバー本体は、ちりめんによって構成されることが好ましい。
【０００８】
前記カバー本体は、花の形状を模していることが好ましい。
【０００９】
本考案の一実施形態に係るカバー付きキャンドル型照明器具は、キャンドルを模した機器本体と、前記キャンドルに点火される炎を模して点灯可能な炎模倣部とを備えるキャンドル型照明器具と、前述のキャンドル型照明器具用カバーとを備え、前記機器本体が、前記内部空間に収容され、前記炎模倣部が、前記第２の開口から露出かつ突出している。
【考案の効果】
【００１０】
本考案によれば、温かい質感が感じられるキャンドル型照明器具用カバーおよびカバー付きキャンドル型照明器具を提供することができる。
【図面の簡単な説明】
【００１１】
【図１Ａ】本考案の一実施形態に係るカバー付きキャンドル型照明器具の側面図である。
【図１Ｂ】本考案の一実施形態に係るカバー付きキャンドル型照明器具の上面図である。
【図１Ｃ】本考案の一実施形態に係るカバー付きキャンドル型照明器具の底面図である。
【図２Ａ】本考案の一実施形態の変形例に係るキャンドル型照明器具用カバーで覆うキャンドル型照明装置の側面図である。
【図２Ｂ】本考案の一実施形態の変形例に係るキャンドル型照明器具用カバーで覆うキャンドル型照明装置の底面図である。
【図３Ａ】本考案の一実施形態に係るキャンドル型照明器具用カバーのキャンドル型照明器具への取り付け前の状態を示す下方からみた斜視図である。
【図３Ｂ】本考案の一実施形態に係るキャンドル型照明器具用カバーのキャンドル型照明器具への取り付け後の状態を示す下方からみた斜視図である。
【図４Ａ】本考案の一実施形態の変形例に係るカバー付きキャンドル型照明器具の側面図である。
【図４Ｂ】本考案の一実施形態の変形例に係るカバー付きキャンドル型照明器具の上面図である。
【図４Ｃ】本考案の一実施形態の変形例に係るカバー付きキャンドル型照明器具の底面図である。
【図５Ａ】本考案の一実施形態の変形例に係るキャンドル型照明器具用カバーを上方から見た斜視図である。
【図５Ｂ】本考案の一実施形態の変形例に係るキャンドル型照明器具用カバーの底面図である。
【考案を実施するための形態】
【００１２】
以下、添付図面を参照して、本考案の一実施形態に係るキャンドル型照明器具用カバーおよびカバー付きキャンドル型照明器具を説明する。なお、以下に示す実施形態は、あくまで一例であり、本考案のキャンドル型照明器具用カバーおよびカバー付きキャンドル型照明器具は、以下の実施形態に限定されるものではない。
【００１３】
図１Ａ〜図１Ｃはそれぞれ、本実施形態に係るキャンドル型照明器具用カバー１が取り付けられたキャンドル型照明器具Ｃ１を示す側面図、上面図、および底面図である。本実施形態に係るキャンドル型照明器具用カバー１は、図１Ａ〜図１Ｃに示されるように、キャンドルを模して点灯及び消灯するキャンドル型照明装置Ｃ１を覆うためのカバーである。キャンドル型照明器具用カバー１は、後述するように、その全部または一部が、織物で構成され、好ましくは、ちりめんで構成されている。これにより、無機質な印象を与えるキャンドル型照明装置Ｃ１に温かい質感を与える。キャンドル型照明器具用カバー１は、キャンドル型照明装置Ｃ１の点灯および消灯が視認されるように、キャンドル型照明装置Ｃ１を覆って使用される。具体的には、キャンドル型照明器具用カバー１は、後述するように、キャンドル型照明装置Ｃ１の点灯部位（後述する炎模倣部Ｃ３）の全部または一部が露出するように、キャンドル型照明装置Ｃ１を覆って使用される。
【００１４】
図２Ａおよび図２Ｂを参照し、まず、本実施形態に係るキャンドル型照明器具用カバー１によって覆われるキャンドル型照明装置Ｃ１について説明する。キャンドル型照明装置Ｃ１は、電気的に生成される人工光により点灯可能な照明装置であり、人工光が炎の代わりに用いられ、炎が点火したキャンドルの形状に人工光が点灯したときの形状を模することで、実際のキャンドルに炎が点火した印象を与える照明装置である。キャンドル型照明装置Ｃ１の人工光の光源は、特に限定されないが、たとえば、ＬＥＤである。キャンドル型照明装置Ｃ１は、本実施形態では、キャンドルを模した機器本体Ｃ２と、キャンドルに点火される炎を模した炎模倣部Ｃ３とを備えている。
【００１５】
機器本体Ｃ２は、図１Ａ〜図１Ｃに示されるように、キャンドル型照明器具用カバー１がキャンドル型照明器具Ｃ１に取り付けられたときに、キャンドル型照明器具Ｃ１の内部空間に収容される。機器本体Ｃ２の形状は、特に限定されない。本実施形態では、機器本体Ｃ２は、図２Ａに示されるように、略平坦な頂面Ｃ２１と、略平坦な底面Ｃ２２と、頂面Ｃ２１と底面Ｃ２２とを繋ぐ側面Ｃ２３を有する略円柱形状である。本実施形態では、機器本体Ｃ２は、炎模倣部Ｃ３に電力を供給する電力供給部Ｂと、炎模倣部Ｃ３を点灯および消灯させるための切替部Ｓとを備えている。機器本体Ｃ２はさらに、机などの水平面に安定に載置するために、底面Ｃ２２から突出する複数の脚部Ｌ（説明の便宜のため、図２Ａおよび図２Ｂ以外の図面では図示せず）を備えていてもよく、後述する本実施形態の変形例に係るカバー側係合部Ｆ１（図５Ａ参照）と係合するために、底面Ｃ２２に機器側係合部Ｆ２を備えていてもよい。
【００１６】
電力供給部Ｂは、炎模倣部Ｃ３を点灯させるための電力を供給する部位である。電力供給部Ｂの配置は、キャンドル型照明器具用カバー１（図１Ａ〜図１Ｃ参照）がキャンドル型照明器具Ｃ１を覆うことを妨げなければ、特に限定されない。本実施形態では、電力供給部Ｂは、図２Ａおよび図２Ｂに示されるように、機器本体Ｃ２の底面Ｃ２２に埋設されている。具体的には、電力供給部Ｂは、電池Ｂ０を収容する電池収容部である。しかし、一般的な商用電源（たとえば、交流電圧１００Ｖ）から電力を供給するために、電力供給部Ｂは、電池収容部に代えて、商用電源と電気的に接続されるアダプタと接続可能な電気接続端子であってもよい。
【００１７】
切替部Ｓは、炎模倣部Ｃ３の点灯および消灯を操作する部位である。切替部Ｓの配置は、キャンドル型照明器具用カバー１（図１Ａ〜図１Ｃ参照）がキャンドル型照明器具Ｃ１を覆うことを妨げなければ、特に限定されない。本実施形態では、切替部Ｓは、図２Ａおよび図２Ｂに示されるように、機器本体Ｃ２の底面Ｃ２２に設けられている。切替部Ｓは、具体的には、つまみＳ１が直線状にスライド可能に構成され、つまみＳ１が一端にあるときに点灯し、他端にあるときに消灯するスライド式スイッチである。しかし、切替部Ｓは、たとえば、押圧毎に点灯および消灯が切り替わる押圧式スイッチなど、その他の切替機構を有していてもよい。また、切替部Ｓは、キャンドル型照明装置Ｃ１と有線または無線で通信することで、炎模倣部Ｃ３の点灯および消灯を遠隔で操作するリモートコントローラであってもよい。
【００１８】
炎模倣部Ｃ３は、図２Ａに示されるように、キャンドルに点火される炎を模すように点灯し、消灯する部分である。具体的には、炎模倣部Ｃ３は、機器本体Ｃ２の頂面Ｃ２１に突設されている。炎模倣部Ｃ３は、図１Ａおよび図１Ｂに示されるように、キャンドル型照明器具用カバー１がキャンドル型照明器具Ｃ１に取り付けられるときに、キャンドル型照明器具用カバー１の第２の開口２２（図１Ｂ参照）から露出かつ突出するように、第２の開口２２に挿入される。炎模倣部Ｃ３の形状は、炎を模していれば、特に限定されないが、本実施形態では、炎模倣部Ｃ３は、図２Ａに示されるように、機器本体Ｃ２から離れる方向に向かって尖る先鋭形状を有する。炎模倣部Ｃ３の発光色は、特に限定されないが、炎模倣部Ｃ３は、キャンドル型照明器具用カバー１（図１Ａ〜図１Ｃ参照）と相俟って、温かい印象が感じられるように、赤色または橙色などの暖色で点灯可能であることが好ましい。しかし、カバー付きキャンドル型照明器具Ｃが使用される状況に応じて、炎模倣部Ｃ３の発光色は、適宜変更され得る。
【００１９】
このようなキャンドル型照明装置Ｃ１を収容するために、本実施形態に係るキャンドル型照明器具用カバー１は、図１Ａおよび図１Ｂに示されるように、カバー本体２を備えている。
【００２０】
カバー本体２は、図１Ａおよび図１Ｂに示されるように、キャンドル型照明装置Ｃ１を覆う主要部位である。カバー本体２は、炎模倣部Ｃ３が露出かつ突出するように、キャンドル型照明装置Ｃ１の機器本体Ｃ２を覆い得るように構成されている。カバー本体２は、織物によって構成される。カバー本体２が織物によって構成されることで、キャンドル型照明装置Ｃ１に温かい質感を与えることができる。また、織物は、ある程度の通気性を有するので、カバー本体２が機器本体Ｃ２を覆った状態で、キャンドル型照明装置Ｃ１を点灯させても、点灯による発生する機器本体Ｃ２の熱が、機器本体Ｃ２やカバー本体２の内部に籠りにくい。そのため、カバー本体２が機器本体Ｃ２を覆っていても、機器本体Ｃ２で発生する熱が炎模倣部Ｃ３に熱伝導することで、炎模倣部Ｃ３内の光源の熱劣化や動作不良などの不具合の発生が抑制されることも期待される。なお、本明細書において、「織物」は、糸を縦横に組み合わせて作った布地を指し、その素材は、天然繊維であっても、合成繊維であってもよい。より温かい印象を与えるためには、織物の素材は、好ましくは、天然繊維である。カバー本体２を構成する織物は、特に限定されないが、本実施形態では、カバー本体２は、ちりめんによって構成される。なお、本明細書において、「ちりめん」は、表面にシボ（凹凸）が現れるように織られた織物を指し、絹を平織りした本来の意味の「ちりめん」だけでなく、ポリエステルやレーヨンなどで織られた織物を含む。より温かい印象を与えるためには、「ちりめん」の素材は、好ましくは、絹である。
【００２１】
カバー本体２がキャンドル型照明装置Ｃ１を覆う範囲は、炎模倣部Ｃ３が露出かつ突出し、温かい質感を感じられれば、特に限定されない。本実施形態では、カバー本体２は、図１Ａおよび図１Ｂに示されるように、機器本体Ｃ２の頂面Ｃ２１および側面Ｃ２３の略全面を覆い得るように構成されている。この場合、機器本体Ｃ２の頂面Ｃ２１の側から機器本体Ｃ２がほぼ視認されないので、より温かい質感を感じることができる。本実施形態では、カバー本体２はさらに、機器本体Ｃ２の頂面Ｃ２１および側面Ｃ２３だけでなく、図１Ｃに示されるように、機器本体Ｃ２の底面Ｃ２２の少なくとも外縁部も覆い得るように構成されている。この場合、カバー本体２に収容された機器本体Ｃ２の脱落を防止することができる。しかし、カバー本体２は、機器本体Ｃ２の頂面Ｃ２１を覆わず、側面Ｃ２３のみを覆い得るように構成されてもよい。
【００２２】
カバー本体２の全体的な形状は、炎模倣部Ｃ３が露出かつ突出するように、キャンドル型照明装置Ｃ１を覆うことができれば、特に限定されない。本実施形態では、カバー本体２は、図１Ａおよび図１Ｂに示されるように、花の形状を模している。具体的には、カバー本体２が模す花は、仏事に使用されることを想定し、仏事に馴染む蓮の花である。しかし、キャンドル型照明装置Ｃ１が使用される状況に応じて、カバー本体２が模す花は、桜の花や菊の花など、その他の花であってもよい。また、カバー本体２は、花以外の植物、たとえば果実を模した形状であってもよく、花や果実以外の形状を模してもよい。
【００２３】
図３Ａおよび図３Ｂを参照し、カバー本体２の構造をより詳細に説明する。図３Ａおよび図３Ｂは、本実施形態に係るキャンドル型照明器具用カバー１を下方から見た斜視図である。なお、図３Ａおよび図３Ｂでは、キャンドル型照明装置Ｃ１は、簡略化して描かれており、電力供給部Ｂおよび切替部Ｓなどは、図示されていない。カバー本体２は、図３Ａに示されるように、機器本体Ｃ２を収容可能な内部空間２０と、機器本体Ｃ２を内部空間２０に挿入するための第１の開口２１と、炎模倣部Ｃ３が露出かつ突出するように、炎模倣部Ｃ３を挿入するための第２の開口２２（図１Ｂも参照）とを有する。内部空間２０の形状および大きさは、機器本体Ｃ２を収容可能な大きさであれば、特に限定されない。本実施形態では、内部空間２０は、収容される機器本体Ｃ２に対応して、略円柱形状を有し、機器本体Ｃ２に対して一回り大きい大きさで設けられている。しかし、内部空間２０は、必ずしも収容される機器本体Ｃ２に対応する形状でなくてもよい。また、カバー本体２が伸縮性を有する織物によって構成される場合、内部空間２０は、カバー本体２が伸縮して機器本体Ｃ２を収容可能な範囲内で、機器本体Ｃ２より小さい大きさで設けられてもよい。
【００２４】
第１の開口２１の形状および大きさは、機器本体Ｃ２を挿入可能であれば、特に限定されない。本実施形態では、第１の開口２１は、図３Ｂに示されるように、機器本体Ｃ２の断面よりも小さい大きさを有し、図３Ａに示されるように、外力を加えたときに、機器本体Ｃ２の断面よりも大きい大きさに拡径可能に構成されている。この場合、第１の開口２１を拡径することで、機器本体Ｃ２を内部空間２０に挿入することができ、その後に、第１の開口２１を縮径することで、内部空間２０に挿入された機器本体Ｃ２の脱落を防止することができる。第１の開口２１の開口径を拡縮可能とするために、カバー本体２は、具体的には、第１の開口２１の開口縁の近傍に、第１の開口２１を囲むように設けられる環状の弾性体Ｅを備えている。環状の弾性体Ｅは、好適には、ゴムによって構成される。しかし、カバー本体２が伸縮性を有する織物によって構成される場合、カバー本体２は、必ずしも環状の弾性体Ｅを備えなくてもよい。
【００２５】
第２の開口２２の形状および大きさは、炎模倣部Ｃ３を挿入可能であれば、特に限定されない。本実施形態では、図３Ａに示されるように、第２の開口２２は、挿入される炎模倣部Ｃ３の断面形状にそれぞれ対応して、炎模倣部Ｃ３の断面形状よりそれぞれ一回り大きい略円形形状で設けられている（図１Ｂも参照）。しかし、第２の開口２２は、必ずしも挿入される炎模倣部Ｃ３の断面形状にそれぞれ対応する形状でなくてもよい。また、上述したように、カバー本体２が伸縮性を有する織物によって構成される場合、第２の開口２２は、カバー本体２が伸縮して炎模倣部Ｃ３を挿入可能な範囲内で、炎模倣部Ｃ３の断面形状より小さい形状で設けられてもよい。
【００２６】
キャンドル型照明器具用カバー１は、図１Ａ〜図１Ｃ、図３Ａおよび図３Ｂに示される形態に限定されず、たとえば図４Ａ〜図５Ｂに示されるように、変形されてもよい。図４Ａ〜図４Ｃはそれぞれ、本変形例に係るキャンドル型照明器具用カバー１が取り付けられたキャンドル型照明器具Ｃ１を示す側面図、上面図、および底面図である。図５Ａは、本変形例に係るキャンドル型照明器具用カバー１を上方から見た斜視図であり、図５Ｂは、本変形例に係るキャンドル型照明器具用カバー１の底面図である（図５Ｂでは、カバー本体２の内部構造を示すために、蓋体３は、２点鎖線で示されている）。
【００２７】
図４Ａ〜図５Ｂに示されるように、本変形例では、上記実施形態と比較して、キャンドル型照明器具用カバー１がさらに、カバー本体２の内部空間２０を少なくとも部分的に塞ぐ蓋体（底蓋）３を備える点が異なる。以下では、上記実施形態と異なる点について説明する。
【００２８】
蓋体３は、本変形例では、図４Ｃおよび図５Ｂに示されるように、機器本体Ｃ２が内部空間２０に収容された状態（図４Ｃ参照）で、第１の開口２１を少なくとも部分的に開閉可能に構成されている。具体的には、蓋体３は、キャンドル型照明器具用カバー１にキャンドル型照明器具Ｃ１を収容する前に、開状態とされ、キャンドル型照明器具用カバー１にキャンドル型照明器具Ｃ１を収容した後に、閉状態とされる。蓋体３は、電力供給部Ｂが電池収容部である場合に、電池Ｂ０を収容するときか、または収容された電池Ｂ０を取り外すときにも、電池収容部の内部空間を閉塞する蓋部分を開放するために、開状態とされる。蓋体３の開閉の形態は、特に限定されない。本変形例では、蓋体３は、図５Ａに示されるように、１つの部材によって構成され、蓋体３の端部がカバー本体２に片持ち式で固定されることで、第１の開口２１を開閉自在に構成されている。しかし、蓋体３が別個の２つの部材によって構成され、各部材が互いから遠位となる端部でカバー本体２に片持ち式で固定され、第１の開口２１を観音開きの形態で開閉自在に構成されてもよい。また、蓋体３は、必ずしも一部がカバー本体２に固定された状態で開閉自在でなくてもよく、カバー本体２から完全に取り外され、キャンドル型照明装置Ｃ１がカバー本体２に収容された後に、再度カバー本体２に取り付けられてもよい。
【００２９】
蓋体３が第１の開口２１を閉塞する範囲は、特に限定されないが、好適には、図４Ｃに示されるように、機器本体Ｃ２がカバー本体２に収容されたときに、持ち運びの際に、第１の開口２１からキャンドル型照明器具Ｃ１が脱落しない範囲を覆う。この場合、第１の開口２１は、必ずしも機器本体Ｃ２の断面よりも小さい大きさを有さなくてもよく、カバー本体２は、必ずしも環状の弾性体Ｅを備えなくてもよい。本変形例では、図４Ｃに示されるように、蓋体３は、機器本体Ｃ２を内部空間２０に収容し、かつ、第１の開口２１を部分的に閉じた状態で、切替部Ｓが露出するように配置可能な切欠部３１を有している。この場合、蓋体３が第１の開口２１を部分的に閉塞した状態でも、切替部Ｓを操作することができる。しかし、蓋体３は、切欠部３１が設けられずに、機器本体Ｃ２の底面Ｃ２２の略全面を覆い得るように構成されていてもよい。
【００３０】
蓋体３の厚さは、本変形例では、図４Ａに示されるように、切替部Ｓが切欠部３１から露出するように配置されたときに、切替部Ｓ（具体的には、つまみＳ１）の突出高さより厚くなるように調整されている。この場合、つまみＳ１が蓋体３から突出しないので、キャンドル型照明器具用カバー１を取り付けた状態で、机などの水平面にキャンドル型照明装置Ｃ１を安定して載置することができる。しかし、蓋体３の厚さは、蓋体３に要求される機能や特性に応じて、適宜変更され得る。
【００３１】
蓋体３の全体的な形状は、カバー本体２の内部空間２０を少なくとも部分的に塞ぐことができれば、特に限定されない。本変形例では、図４Ａ〜図５Ｂに示されるように、蓋体３は、温かい印象を与えるために、葉の形状を模している。具体的には、蓋体３が模す葉は、蓮の葉である。この場合、カバー本体２が蓮の花を模しているときには、キャンドル型照明装置用カバー１の統一感が増す。しかし、キャンドル型照明器具Ｃ１が使用される状況に応じて、蓋体３が模す葉は、その他の葉であってもよい。
【００３２】
蓋体３は、本変形例では、図５Ａに示されるように、機器本体Ｃ２に設けられる機器側係合部Ｆ２（図２Ａおよび図２Ｂ参照）と係合可能なカバー側係合部Ｆ１を有している。具体的には、蓋体３は、カバー本体２の内部空間２０を向く内面に、機器本体Ｃ２の底面Ｃ２２に設けられる機器側係合部Ｆ２と係合するカバー側係合部Ｆ１を有する。カバー側係合部Ｆ１および機器側係合部Ｆ２は、本変形例では、互いに係合し合う一対の面ファスナによって構成されるが、雌雄のボタンなど、その他の係合機構であってもよい。カバー側係合部Ｆ１および機器側係合部Ｆ２の配置および数は、蓋体３を閉状態に保持することができれば、特に限定されない。本変形例では、蓋体３を安定して閉状態に保持するために、切欠部３１を挟むように、一対のカバー側係合部Ｆ１が蓋体３に設けられ、１対のカバー側係合部Ｆ１と対向する機器本体Ｃ２の底面Ｃ２２に、一対の機器側係合部Ｆ２が設けられている。
【００３３】
蓋体３の材質は、開閉の容易性の観点から、好適には、柔軟性を有する。本変形例では、蓋体３は、カバー本体２と同様に、織物によって構成され、より具体的には、ちりめんによって構成される。しかし、蓋体３の材質は、必ずしも柔軟性を有さなくてもよく、たとえばプラスチックや金属などの剛性を有する材料によって構成されてもよい。
【００３４】
次に、図１Ａ〜図１Ｃを参照し、カバー付きキャンドル型照明装置Ｃについて説明する。本実施形態において、カバー付きキャンドル型照明装置Ｃは、前述のキャンドル型照明器具Ｃ１と、前述のキャンドル型照明器具用カバー１とを備えている。具体的には、カバー付きキャンドル型照明装置Ｃは、機器本体Ｃ２がカバー本体２の内部空間２０に収容され、炎模倣部Ｃ３がカバー本体２の第２の開口２２から露出かつ突出するように、キャンドル型照明器具用カバー１でキャンドル型照明装置Ｃ１を覆うことによって得られる。
【００３５】
本実施形態では、キャンドル型照明器具用カバー１のキャンドル型照明器具Ｃ１への取り付けは、たとえば、以下のように行われる。まず、図３Ａに示されるように、外力を加えることで、キャンドル型照明器具用カバー１の第１の開口２１に拡径しながら、キャンドル型照明器具Ｃ１の炎模倣部Ｃ３を第１の開口２１からカバー本体２の内部空間２０に挿入する。次いで、先に内部空間２０に挿入された炎模倣部Ｃ３を第２の開口２２に挿通しつつ、機器本体Ｃ２を内部空間２０に挿入する。最後に、図３Ｂに示されるように、機器本体Ｃ２が内部空間２０に収容された状態で、外力を解くことで、第１の開口２１を縮径する。これにより、図１Ａ〜図１Ｃに示されるカバー付きキャンドル型照明装置Ｃが得られる。
【００３６】
図４Ａ〜図５Ｂに示される変形例のように、キャンドル型照明器具用カバー１が蓋体３を備える場合には、キャンドル型照明器具用カバー１のキャンドル型照明器具Ｃ１への取り付けは、たとえば、以下のように行われる。まず、キャンドル型照明器具用カバー１の蓋体３を開状態とし、その後に、キャンドル型照明器具Ｃ１の炎模倣部Ｃ３を第１の開口２１からカバー本体２の内部空間２０に挿入する。次いで、先に内部空間２０に挿入された炎模倣部Ｃ３を第２の開口２２に挿通しつつ、機器本体Ｃ２を内部空間２０に挿入する。最後に、機器本体Ｃ２が内部空間２０に収容された状態で、カバー側係合部Ｆ１を機器側係合部Ｆ２と係合させることで、蓋体３を閉状態にする。これにより、図４Ａ〜図４Ｃに示されるカバー付きキャンドル型照明装置Ｃが得られる。
【００３７】
以上のように構成される本実施形態に係るキャンドル型照明器具用カバー１およびカバー付きキャンドル型照明器具Ｃによれば、織物によって構成されるカバー本体２でキャンドル型照明器具Ｃ１の機器本体Ｃ２を覆うので、無機質な印象を与えやすい機器本体Ｃ２が視認されにくくなる。これにより、キャンドル型照明器具用カバー１が取り付けられたキャンドル型照明器具Ｃ１（カバー付きキャンドル型照明器具Ｃ）に温かい質感が感じられるようになる。カバー本体２が機器本体Ｃ２の頂面Ｃ２１および側面Ｃ２３の略全面を覆う場合には、頂面Ｃ２１の側から機器本体Ｃ２がほぼ視認されなくなるので、より温かい質感が感じられるようになる。カバー本体２がちりめんによって構成される場合には、より一層温かい質感が感じられるようになる。
【００３８】
第１の開口２１が環状の弾性体Ｅなど弾性力によって拡縮可能である場合には、第１の開口２１に外力を加えて拡径しながら、キャンドル型照明器具Ｃ１を第１の開口２１からキャンドル型照明器具用カバー１に挿入した後に、外力を解くことで、キャンドル型照明器具用カバー１のキャンドル型照明器具Ｃ１への取り付けを簡便に行うことができる。
【００３９】
本実施形態では、カバー本体２が織物によって構成されているので、カバー本体２が機器本体Ｃ２を覆った状態で、キャンドル型照明装置Ｃ１を点灯させても、点灯による発生する機器本体Ｃ２の熱が、機器本体Ｃ２やカバー本体２の内部に籠りにくい。そのため、機器本体Ｃ２からの熱伝導による炎模倣部Ｃ３の光源の熱劣化や動作不良などの不具合が抑制されることも期待される。これに対し、たとえば特許文献１のキャンドル型照明装置用のカバーは、プラスチック製またはゴム製であるため、通気性がほとんどなく、カバー内部に熱が籠りやすい。そのため、キャンドル型照明装置の光源の熱劣化や動作不良などの不具合が促進されやすい。
【００４０】
キャンドル型照明器具用カバー１が蓋体３を備える場合において、カバー本体２だけでなく蓋体３も織物によって構成されるときには、キャンドル型照明器具用カバー１の統一感やカバー付きキャンドル型照明器具Ｃの温かい質感が増し、蓋体３もちりめんによって構成される場合には、さらに温かい質感が感じられるようになる。
【００４１】
本実施形態では、カバー本体２が花の形状を模しているので、織物の質感と相俟って、温かい印象が感じられるようになる。キャンドル型照明器具用カバー１が蓋体３を備える場合において、蓋体３が葉の形状を模すときには、キャンドル型照明器具用カバー１の統一感が増すとともに、全体として、より温かい印象が感じられるようになる。
【００４２】
キャンドル型照明器具用カバー１が蓋体３を備える場合において、機器本体Ｃ２の切替部Ｓに対応する蓋体３の位置に、切欠部３１が設けると、蓋体３を開状態にしなくても、切替部Ｓを操作することができる。この場合、キャンドル型照明装置Ｃ１を点灯や消灯の際に、わざわざ蓋体３を開状態にして切替部Ｓを操作する煩雑さが回避される。
【符号の説明】
【００４３】
１  キャンドル型照明器具用カバー
２  カバー本体
２０  内部空間
２１  第１の開口
２２  第２の開口
３  蓋体
３１  切欠部
Ｂ  電力供給部
Ｂ０  電池
Ｃ  カバー付きキャンドル型照明装置
Ｃ１  キャンドル型照明器具
Ｃ２  機器本体
Ｃ２１  頂面
Ｃ２２  底面
Ｃ２３  側面
Ｃ３  炎模倣部
Ｅ  環状の弾性体
Ｆ１  カバー側係合部
Ｆ２  機器側係合部
Ｌ  脚部
Ｓ  切替部
Ｓ１  つまみ
【図１Ａ】
0003229492.tif 000003
【図１Ｂ】
0003229492.tif 000004
【図１Ｃ】
0003229492.tif 000005
【図２Ａ】
0003229492.tif 000006
【図２Ｂ】
0003229492.tif 000007
【図３Ａ】
0003229492.tif 000008
【図３Ｂ】
0003229492.tif 000009
【図４Ａ】
0003229492.tif 000010
【図４Ｂ】
0003229492.tif 000011
【図４Ｃ】
0003229492.tif 000012
【図５Ａ】
0003229492.tif 000013
【図５Ｂ】
0003229492.tif 000014